(57)【要約】【課題】  非粘着部同士が綺麗に重なった状態で粘着テープを貼り合わせることのできるテープ巻回装置を提供する。【解決手段】  テープ巻回装置１００を、テープロール２００を支持するためのテープロール支持手段１２０と、テープロール２００から繰り出された粘着テープＴの側端部Ｔ０を長手方向に沿って折り返すためのテープ折り返し手段１３０と、側端部Ｔ０が折り返された粘着テープＴを巻回対象物３００に巻き掛けるためのテープ巻回ローラ１４０と、巻回対象物３００に巻き掛けられた粘着テープＴの前余り部Ｔ４及び後余り部Ｔ５をテープ巻回ローラ１４０と挟持して粘着テープＴを環状に閉じるためのテープ巻回ガイド１５０とが備えられたものとして、折り返されて厚くなった粘着テープＴの側端部Ｔ０を逃がすための低段部１４５，１５５を、テープ巻回ローラ１４０とテープ巻回ガイド１５０との少なくとも一方に設けた。【選択図】  図７
2006256787.tif 000002
【特許請求の範囲】
【請求項１】
テープロールを支持するためのテープロール支持手段と、テープロールから繰り出された粘着テープの側端部を長手方向に沿って折り返すためのテープ折り返し手段と、側端部が折り返された粘着テープを巻回対象物に巻き掛けるためのテープ巻回ローラと、巻回対象物に巻き掛けられた粘着テープの前余り部及び後余り部をテープ巻回ローラと挟持して粘着テープを環状に閉じるためのテープ巻回ガイドとが備えられたテープ巻回装置において、折り返されて厚くなった粘着テープの側端部を逃がすための低段部がテープ巻回ローラとテープ巻回ガイドとの少なくとも一方に設けられてなるテープ巻回装置。
【請求項２】
テープ巻回ローラが粘着テープを支持するための山部と巻回対象物を挿入するための谷部とを外周面に有する歯車状のものであり、前記低段部が前記山部の頂面に設けられてなる請求項１記載のテープ巻回装置。
【請求項３】
テープ巻回ガイドが粘着テープを挟持するための先端部と該先端部をテープ巻回ローラの側に付勢する付勢手段を取り付けるための基端部とを有するアーム状のものであり、前記低段部が前記先端部に設けられてなる請求項１又は２記載のテープ巻回装置。
【請求項４】
前記低段部の深さが０．１〜１．５ｍｍに設定されてなる請求項１〜３いずれか記載のテープ巻回装置。
【請求項５】
テープ折り返し手段が粘着テープを非粘着面側に屈曲させるための軸部と粘着テープの幅を規制して粘着テープの側端部を折り返すための拡径部とを有するものである請求項１〜４いずれか記載のテープ巻回装置。
【請求項６】
前記拡径部の軸部接続面がすり鉢状に陥没して形成されてなる請求項５記載のテープ巻回装置。
【発明の詳細な説明】
【技術分野】
【０００１】
本発明は、粘着テープを包装袋などの巻回対象物に巻回するためのテープ巻回装置に関する。
【背景技術】
【０００２】
従来より、包装袋の袋口などに粘着テープを巻回するためのものとして、バッグシーラと呼ばれるテープ巻回装置が知られている。この種のテープ巻回装置は、菓子や青果などの包装袋を密封するためのものとして、スーパーマーケットやデパートなどで広く用いられている。しかし、袋口に巻回された粘着テープは、粘着面同士がしっかりと密着していて剥がすのに一苦労することも多く、開封者に煩わしい作業を強いることも多々あった。このような実状に鑑みて、過去には、袋口に巻回された粘着テープに剥がししろとなる非粘着部を形成することができるテープ巻回装置も提案された。
【０００３】
例えば、特許文献１には、入口の幅が広く形成されて出口の幅が狭く形成されたテープ折り返し手段（特許文献１では「テープ側縁折込装置」と表記されている。）を備えたテープ巻回装置（特許文献１では「粘着テープ貼着器」と表記されている。）が記載されている。これにより、袋口に巻回された粘着テープの側端部に剥がししろとなる非粘着部を形成することが可能になり、袋を容易に開封することができるようになるとされている。
【０００４】
【特許文献１】実公昭４９−０４１０２４号公報（実用新案登録請求の範囲、第２図）
【発明の開示】
【発明が解決しようとする課題】
【０００５】
しかし、特許文献１のテープ巻回装置では、袋口に巻き掛けられずに前後に余っている粘着テープをテープ巻回ローラ（特許文献１では「作用部材」と表記されている。）とテープ巻回ガイド（特許文献１では「押圧椀」と記載されている。）とで挟持して貼り合わせる際に、折り返されて厚くなった非粘着部同士が粘着部同士よりも先に接触するようになるために、非粘着部同士が互いに滑ってしまい、非粘着部がずれた状態で貼り合わされるおそれがあった。このため、袋口に巻回された粘着テープの見栄えが悪くなるばかりか、折角形成した非粘着部を剥がししろとして利用できなくなるというおそれもあった。
【０００６】
本発明は、上記課題を解決するためになされたものであり、巻き掛けられずに巻回対象物の前後に余っている粘着テープをテープ巻回ローラとテープ巻回ガイドとで挟持して貼り合わせる際に、粘着テープの非粘着部同士が粘着部同士よりも先に接触するのを防止することができ、非粘着部同士が綺麗に重なった状態で粘着テープを貼り合わせることのできるテープ巻回装置を提供するものである。
【課題を解決するための手段】
【０００７】
上記課題は、テープロールを支持するためのテープロール支持手段と、テープロールから繰り出された粘着テープの側端部を長手方向に沿って折り返すためのテープ折り返し手段と、側端部が折り返された粘着テープを巻回対象物に巻き掛けるためのテープ巻回ローラと、巻回対象物に巻き掛けられた粘着テープの前余り部及び後余り部をテープ巻回ローラと挟持して粘着テープを環状に閉じるためのテープ巻回ガイドとが備えられたテープ巻回装置において、折り返されて厚くなった粘着テープの側端部を逃がすための低段部がテープ巻回ローラとテープ巻回ガイドとの少なくとも一方に設けられてなるテープ巻回装置を提供することによって解決される。これにより、巻き掛けられずに巻回対象物の前後に余っている粘着テープをテープ巻回ローラとテープ巻回ガイドとで挟持して貼り合わせる際に、折り返されて厚くなった粘着テープの側端部を前記低段部に逃がすことが可能になる。
【０００８】
具体的には、テープ巻回ローラが粘着テープを支持するための山部と巻回対象物を挿入するための谷部とを外周面に有する歯車状のものであり、前記低段部が前記山部の頂面に設けられていると好適である。また、テープ巻回ガイドが粘着テープを挟持するための先端部と該先端部をテープ巻回ローラの側に付勢する付勢手段を取り付けるための基端部とを有するアーム状のものであり、前記低段部が前記先端部に設けられていることも好適である。
【０００９】
前記低段部の深さは、粘着テープの厚さなどによっても異なり特に限定されないが、浅すぎると、粘着テープの非粘着部同士が粘着部同士よりも先に接触するのを防止する効果が著しく低下するおそれがあるために、通常、０．１ｍｍ以上に設定される。前記低段部の深さは、０．５ｍｍ以上であると好ましく、０．７ｍｍ以上であるとより好ましい。一方、前記低段部が深すぎると、該低段部によって粘着テープに皺が形成されるおそれがあるために、前記低段部の深さは、通常、１．５ｍｍ以下に設定される。前記低段部の深さは、１．２ｍｍ以下であると好ましく、１．０ｍｍ以下であるとより好ましい。テープ巻回ローラとテープ巻回ガイドとの双方に前記低段部を設ける場合には、その深さの合計が上記範囲に収まるように各低段部の深さを設定するとよい。
【００１０】
テープ折り返し手段は、粘着テープの一側端部又は両側端部を長手方向に沿って折り返すことのできるものであれば特に限定されないが、粘着テープを非粘着面側に屈曲させるための軸部と、粘着テープの幅を規制して粘着テープの側端部を折り返すための拡径部とを有するものであると好ましい。これにより、粘着テープの側端部をさらに綺麗に折り返すことが可能になり、本発明のテープ巻回装置を用いる意義がさらに深まる。このとき、前記拡径部の軸部接続面がすり鉢状に陥没して形成されているとより好ましい。
【発明の効果】
【００１１】
以上のように、本発明のテープ巻回装置によって、巻き掛けられずに巻回対象物の前後に余っている粘着テープをテープ巻回ローラとテープ巻回ガイドとで挟持して貼り合わせる際に、粘着テープの非粘着部同士が粘着部同士よりも先に接触するのを防止することができ、非粘着部同士が綺麗に重なった状態で粘着テープを貼り合わせることが可能になる。このため、巻回対象物に巻回された粘着テープの見た目を美しくするだけでなく、巻回対象物に巻回された粘着テープに剥がししろとなる非粘着部をより確実に形成することも可能になる。
【発明を実施するための最良の形態】
【００１２】
本発明のテープ巻回装置を、図面を用いてより具体的に説明する。図１は、本発明のテープ巻回装置１００の一例を示した斜視図である。図２は、図１のテープ巻回装置１００から一方の側板１１０を取り外した状態を示した斜視図である。図３は、図２のテープ巻回装置１００を示した右側面図である。図４は、粘着テープＴを折り返しているときのテープ折り返しローラ１３０を示した斜視図である。図５は、粘着テープＴを折り返しているときのテープ折り返しローラ１３０を示した右側面図である。図６は、テープ折り返しローラ１３０をその中心軸を通る平面で切断した状態を示した断面図である。図７は、テープ巻回ローラ１４０を示した斜視図である。図８は、テープ巻回ローラ１４０の山部１４２を山部１４２の正面側から見た図である。図９は、テープ巻回アーム１５０の後方斜視図である。図１０は、テープ巻回アーム１５０を示した左側面図である。
【００１３】
［テープ巻回装置の全体構成］
テープ巻回装置１００は、図１に示すように、一対の側板１１０の隙間に各部が収容されたものとなっている。本例のテープ巻回装置１００では、図２に示すように、テープリール１２０と、テープ折り返しローラ１３０と、テープ巻回ローラ１４０と、テープ巻回アーム１５０と、テープ切断アーム１６０と、テープ押さえアーム１７０と、切断ユニット１８０と、スプリングＳ１〜Ｓ３とが、一対の側板１１０の隙間に収容されている。テープリール１２０の外周部には、図２に示すように、粘着テープＴが巻装されたテープロール２００が嵌められている。粘着テープＴには、一方が粘着面αで他方が非粘着面βの片面粘着テープ（幅１２ｍｍ，厚さ５３μｍ）を用いている。粘着テープＴは、粘着面αが上側を向いた状態でテープロール２００から繰り出されるようになっている。
【００１４】
［側板］
一対の側板１１０は、図１に示すように、縦壁部１１１と脚部１１２とからなっている。一方の側板１１０は、他方の側板１１０と左右に略対称な形状になっている。各側板１１０の縦壁部１１１には、テープリール１２０を案内するための案内溝１１３と、巻回対象物を案内するための案内溝１１４，１１５と、ボルトＢ１〜Ｂ１４を嵌入するためのボルト孔（図示省略）とが設けられている。脚部１１２は、一対の側板１１０の下端部を外方に折り曲げることによって形成している。脚部１１２は、縦壁部１１１と別個に成形してもよい。
【００１５】
［テープリール（テープロール支持手段）］
本例のテープリール１２０は、図３に示すように、中心部１２１と、中心部１２１から放射状に延びる複数本のアーム部１２２と、中心部１２１から側方に突設した軸部１２３とからなっている。軸部１２３は、図１に示すように、一対の側板１１０に設けられた案内溝１１３に嵌入されて、案内溝１１３の最深部で回転可能に支持される。テープリール１２０は、粘着テープＴが矢印ａ（図３）の向きに繰り出されると、矢印ｂ（図３）の向きに回転するようになっている。テープリール１２０は、初期状態において、静止した状態となっている。
【００１６】
［テープ折り返しローラ（テープ折り返し手段）］
本例のテープ折り返しローラ１３０は、図４〜図６に示すように、軸部１３１と、軸部１３１の一端にフランジ状に設けられた拡径部１３２とからなっている。拡径部１３２の軸部接続面１３３は、図６に示すように、すり鉢状に陥没して形成しており、軸部接続面１３３と外周面１３４との間には、テーパ面１３５が設けられている。軸部接続面１３３とテーパ面１３５とで形成される稜部は、アールを設けるなどして滑らかに形成しておくと、粘着テープＴがテープ折り返しローラ１３０から受ける摩擦力を低減させることができるために好ましい。また、軸部１３１には、軸受孔１３６が設けられており、軸受孔１３６にはパイプＰ１が遊挿されている。このため、粘着テープＴが矢印ａ（図３）の向きに繰り出されると、テープ折り返しローラ１３０は矢印ｃ（図３）の向きに回転するようになっている。パイプＰ１は、その内周面にネジ溝が切られており、ボルトＢ１（図１）を螺合することによって一対の側板１１０（図１）に固定することができるようになっている。パイプＰ１は、テープ折り返しローラ１３０を回転可能に支持する軸としての機能だけでなく、一対の側板１１０（図１）を連結固定する連結具としての機能をも備えたものとなっている。
【００１７】
軸部接続面１３３の頂角θ１（図６）は、小さすぎると、軸部接続面１３３とテーパ面１３５とで形成される稜部が峻険になり、粘着テープＴに傷がついたり引っかかったりするおそれがあるために、通常、１０°以上に設定される。頂角θ１は、６０°以上であるとより好ましく、９０度以上であるとさらに好ましく、１２０°以上であると最適である。一方、頂角θ１は、大きすぎると、粘着テープＴの側端部Ｔ０が軸部接続面１３３と広い面積で接触して粘着テープＴが受ける摩擦力が増大するおそれがあるために、通常、１７０°以下に設定される。頂角θ１は、１６０°以下であるとより好ましく、１５０°以下であるとさらに好ましく、１４０°以下であると最適である。本例のテープ折り返しローラ１３０では、頂角θ１は、約１３０°となっている。
【００１８】
また、テーパ面１３５の頂角θ２（図６）も、小さすぎると、軸部接続面１３３とテーパ面１３５とで形成される稜部が峻険になり、粘着テープＴに傷がついたり引っかかったりするおそれがあるために、通常、１０°以上に設定される。頂角θ２は、２０°以上であるとより好ましく、３０度以上であるとさらに好ましく、４０°以上であると最適である。一方、頂角θ２は、大きすぎると、粘着テープＴの側端部Ｔ０が外周面１３４と広い面積で接触して粘着テープＴが受ける摩擦力が増大するおそれがあるために、通常、１７０°以下に設定される。頂角θ２は、１４０°以下であるとより好ましく、１１０°以下であるとさらに好ましく、８０°以下であると最適である。本例のテープ折り返しローラ１３０では、頂角θ２は、約６５°となっている。
【００１９】
テープ折り返しローラ１３０を設ける位置は、図３に示すように、テープロール２００とテープ巻回ローラ１４０との間で、粘着テープＴを非粘着面β側に屈曲した状態で緊張させることができる位置であれば特に限定されないが、通常、粘着テープＴの屈曲角度θ３（図３）が５〜９０°となる位置に設けられる。屈曲角度θ３が５°未満であると、粘着テープＴの側端部Ｔ０（図４）が折り返されないおそれがあるし、屈曲角度θ３が９０°よりも大きいと、テープ巻回装置１００の寸法が無駄に大きくなるおそれがあるためである。屈曲角度θ３は、１０°以上であると好ましく、２０°以上であるとより好ましい。また、屈曲角度θ３は、８０°以下であると好ましく、７０°以下であるとより好ましい。
【００２０】
［テープ折り返しローラの動作］
テープ折り返しローラ１３０の動作について説明する。テープロール２００から繰り出された粘着テープＴは、図５に示すように、まずＡ１部（第一接触部）でテープ折り返しローラ１３０と接触する。Ａ１部では、軸部接続面１３３とテーパ面１３５とで形成される稜部が粘着テープＴの側端部Ｔ０に非粘着面β側から接触して、側端部Ｔ０を粘着面α側に折り曲げられた起立部Ｔ１にする。このとき、粘着テープＴの幅が急激に狭められると、粘着テープＴがＡ１部で引っ掛かって、粘着テープＴに好ましくない皺が形成されるおそれがあるが、本例のテープ折り返しローラ１３０では、テーパ面１３５を設けているために、粘着テープＴがＡ１部で引っ掛かりにくくなっている。また、万が一、粘着テープＴがＡ１部で引っ掛かったとしても、その場合には、テープ折り返しローラ１３０が摩擦によって矢印ｃ（図３）の向きに回転して、粘着テープＴがＡ１部から無理なく送り出されるようになっている。テープ折り返しローラ１３０は、回転対称に形成しているために、回転しても粘着テープＴに常に同じ状態で接触し続けることができるようになっている。
【００２１】
Ａ１部を通過して起立部Ｔ１が形成された粘着テープＴは、図５に示すように、テープ折り返しローラ１３０から一旦離れた後、Ａ２部（第二接触部）でテープ折り返しローラ１３０と再び接触する。Ａ２部では、軸部１３１の外周面が粘着テープＴの非起立部Ｔ３（図４）に非粘着面β側から接触して、粘着テープＴを非粘着面β側に屈曲させ、粘着テープＴの起立部Ｔ１を非起立部Ｔ３（図４）側に倒伏した倒伏部Ｔ２とする。このとき、粘着テープＴが拡径部１３２に接触すると、粘着テープＴがテープ折り返しローラ１３０から受ける摩擦力が増大して、粘着テープＴに好ましくない皺が形成されたり、起立部Ｔ１が十分に倒伏しなかったりするおそれがあるが、本例のテープ折り返しローラ１３０では、軸部接続面１３３をすり鉢状に形成しているために、粘着テープＴが拡径部１３２に接触しにくくなっている。また、万が一、粘着テープＴがＡ２部で引っ掛かったとしても、その場合には、テープ折り返しローラ１３０が摩擦によって矢印ｃ（図３）の向きに回転して、粘着テープＴがＡ２部から無理なく送り出されるようになっている。
【００２２】
Ａ２部を通過して倒伏部Ｔ２が形成された粘着テープＴは、図５に示すように、テープ折り返しローラ１３０から再び離れた後、Ａ３部（第三接触部）でテープ折り返しローラ１３０と再び接触する。Ａ３部では、軸部接続面１３３とテーパ面１３５とで形成される稜部が粘着テープＴの倒伏部Ｔ２に非粘着面β側から接触して、倒伏部Ｔ２を非起立部Ｔ３（図４）に密着させる。このとき、粘着テープＴの幅が急激に狭められると、粘着テープＴがＡ３部で引っ掛かって、粘着テープＴに好ましくない皺が形成されるおそれがあるが、本例のテープ折り返しローラ１３０では、テーパ面１３５を設けているために、粘着テープＴが、Ａ３部で引っ掛かりにくいようになっており、粘着テープＴが、Ａ３部に無理なく導き入れられるようになっている。また、万が一、粘着テープＴがＡ３部で引っ掛かったとしても、その場合には、テープ折り返しローラ１３０が摩擦によって矢印ｃ（図３）の向きに回転して、粘着テープＴがＡ３部から無理なく送り出されるようになっている。
【００２３】
以上のように、粘着テープＴは、テープ折り返しローラ１３０のＡ１部からＡ３部を経て、側端部Ｔ０が長手方向に沿って折り返された状態となる。このとき、テープ折り返しローラ１３０は、どの部分においても、粘着テープＴの粘着面αとは接触しないようになっている。このため、テープ折り返しローラ１３０は、粘着テープＴを滑らにかつ美しく折り返すことができるものとなっている。本例のテープ巻回装置１００において、側端部Ｔ０は約１．５ｍｍの幅で折り返されるようになっている。
【００２４】
［テープ巻回ローラ］
本例のテープ巻回ローラ１４０は、図７に示すように、中心部１４１の外周面に山部１４２と谷部１４３とを交互に形成した歯車状のものとなっている。図１１〜図１４に示すように、山部１４２は、粘着テープＴを支持するためのものとなっており、谷部１４３は、巻回対象物３００を挿入するためのものとなっている。中心部１４１には軸受孔１４４が設けられており、軸受孔１４４にはパイプＰ２（図示省略）が遊挿される。このため、巻回対象物３００をテープ巻回ローラ１４０の谷部１４３に挿入して押し下げると、テープ巻回ローラ１４０が矢印ｄ（図３）の向きに回転するようになっている。パイプＰ２（図示省略）やそれに螺合するボルトＢ２（図１）などについては、テープ折り返しローラ１３０で説明したパイプＰ１やボルトＢ１と同様である。
【００２５】
山部１４２の頂面には、図７と図８に示すように、低段部１４５を設けている。低段部１４５は、折り返されて厚くなった粘着テープＴの側端部Ｔ０を逃がすためのものとなっている。このため、図１４に示すように、テープ巻回ローラ１４０とテープ巻回アーム１５０とで粘着テープＴの前余り部Ｔ４及び後余り部Ｔ５を挟持して粘着テープＴを環状に閉じる際には、前余り部Ｔ４の非粘着部と後余り部Ｔ５の非粘着部とが接触するよりも前に、前余り部Ｔ４の粘着部と後余り部Ｔ５の粘着部とを接触させることができるようになっている。また、前余り部Ｔ４の粘着部と後余り部Ｔ５の粘着部とが接触するよりも前に、前余り部Ｔ４の非粘着部と後余り部Ｔ５の非粘着部とが接触した場合であっても、後余り部Ｔ５の非粘着部を低段部１４５に逃がすことができるようになっている。本例のテープ巻回ローラ１４０において、低段部１４５は、山部１４２の左側の頂面に設けられている。低段部１４５のエッジは、アールをつけるなどして滑らかに形成しておくと、粘着テープＴに好ましくない折り目が形成されるのを防止することができるために好ましい。
【００２６】
低段部１４５の位置や寸法は、テープ折り返しローラ１３０とテープ巻回ローラ１４０との位置関係や、粘着テープＴの側端部Ｔ０を折り返す幅などによって適宜調整され、特に限定されない。ただし、折り返された側端部Ｔ０の内端（図８の右端）から低段部１４５の内端（図８の右端）までの距離Ｌ１（図８）が短くなりすぎると、粘着テープＴが所望の位置からずれて山部１４２に支持された場合に、低段部１４５で側端部Ｔ０の全体を逃がすことができなくなったり、粘着テープＴに長手方向の折り目が形成されたりするおそれもある。このため、低段部１４５は、通常、距離Ｌ１を０．５ｍｍ以上確保できるように設けられる。距離Ｌ１は、１ｍｍ以上であるとより好ましく、１．５ｍｍ以上であるとさらに好ましい。折り返された側端部Ｔ０の外端（図８の左端）から低段部１４５の外端（図８の左端）までの距離Ｌ２（図８）についても、距離Ｌ１と略同様である。一方、粘着テープＴの折り返されていない側の外端（図８の右端）から低段部１４５の内端（図８の右端）までの距離Ｌ３（図８）が短くなりすぎると、粘着テープＴが所望の位置からずれて山部１４２に支持された場合に、粘着テープＴの全体が低段部１４５に脱落するおそれがある。このため、低段部１４５は、通常、距離Ｌ３を０．５ｍｍ以上確保できる位置に設けられる。距離Ｌ３は、１ｍｍ以上であるとより好ましく、１．５ｍｍ以上であるとより好ましい。
【００２７】
［テープ巻回アーム（テープ巻回ガイド）］
本例のテープ巻回アーム１５０は、図９と図１０に示すように、アーム基端部１５１と、アーム先端部１５２とからなっている。アーム基端部１５１とアーム先端部１５２との中間には軸受孔１５３が設けられており、軸受孔１５３にはパイプＰ３（図示省略）が遊挿される。このため、アーム先端部１５２が押し下げられると、テープ巻回アーム１５０が矢印ｅ（図３）の向きに回転するようになっている。パイプＰ３（図示省略）やそれに螺合するボルトＢ３（図１）などについては、テープ折り返しローラ１３０で説明したパイプＰ１やボルトＢ１と同様である。アーム基端部１５１には、矢印ｆ（図３）の向きに縮むように付勢されたスプリングＳ１（図３）が連結されており、テープ巻回アーム１５０は、矢印ｅ（図３）とは反対向きに付勢されるようになっている。テープ巻回アーム１５０は、図１１に示すように、初期状態において、アーム先端部１５２に設けられた湾曲凹面１５４（図７）がテープ巻回ローラ１４０の外周部に係止されて静止した状態となっている。
【００２８】
粘着テープＴが一時的に貼着されるアーム先端部１５２の湾曲凹面１５４には、図９と図１０に示すように、低段部１５５を設けている。低段部１５５は、テープ巻回ローラ１４０の低段部１４５と同様に、折り返されて厚くなった粘着テープＴの側端部Ｔ０を逃がすためのものとなっている。このため、図１４に示すように、テープ巻回ローラ１４０とテープ巻回アーム１５０とで粘着テープＴの前余り部Ｔ４及び後余り部Ｔ５を挟持して粘着テープＴを環状に閉じる際には、前余り部Ｔ４の非粘着部と後余り部Ｔ５の非粘着部とが接触するよりも前に、前余り部Ｔ４の粘着部と後余り部Ｔ５の粘着部とを接触させることができるようになっている。また、前余り部Ｔ４の粘着部と後余り部Ｔ５の粘着部とが接触するよりも前に、前余り部Ｔ４の非粘着部と後余り部Ｔ５の非粘着部とが接触した場合であっても、前余り部Ｔ４の非粘着部を低段部１５５に逃がすことができるようになっている。さらに、粘着テープＴの前余り部Ｔ４がテープ巻回アーム１５０の湾曲凹面１５４に貼着される際には、前余り部Ｔ４の非粘着部と湾曲凹面１５４とが接触するよりも前に、前余り部Ｔ４の粘着部と湾曲凹面１５４とを接触させることができるようになっている。低段部１５５の深さや位置などについては、テープ巻回ローラ１４０の低段部１４５と略同様である。
【００２９】
［テープ巻回ローラとテープ巻回アームの動作］
テープ巻回ローラ１４０とテープ巻回アーム１５０の動作について説明する。図１１は、テープ巻回ローラ１４０とテープ巻回アーム１５０とが初期状態にあるときのテープ巻回ローラ１４０周辺を示した拡大図である。図１２は、巻回対象物３００をテープ巻回ローラ１４０の一の谷部１４３に挿入したときのテープ巻回ローラ１４０周辺を示した拡大図である。図１３は、巻回対象物３００を図１２の位置からさらに押し下げたときのテープ巻回ローラ１４０周辺を示した拡大図である。図１４は、巻回対象物３００を図１３の位置からさらに押し下げたときのテープ巻回ローラ１４０周辺を示した拡大図である。
【００３０】
巻回対象物３００を案内溝１１４に上方から押し込むと、巻回対象物３００は、テープ巻回ローラ１４０の一の谷部１４３に挿入される（図１２）。このとき、粘着テープＴは、巻回対象物３００の略半周部に巻き掛けられた状態となっている。この状態から巻回対象物３００を押し下げると、テープ巻回ローラ１４０が回転して、巻回対象物３００は案内溝１１４の下方に案内される。このとき、巻回対象物３００よりも前方で余っていた粘着テープＴの前余り部Ｔ４がテープ巻回アーム１５０側に僅かに膨らんで湾曲凹面１５４に一時的に貼着される。湾曲凹面１５４には低段部１５５（図９）が設けられているために、粘着テープＴは、粘着部から湾曲凹面１５４に接触する。このため、粘着テープＴは、左右に位置ずれすることなく、湾曲凹面１５４に綺麗に貼着される。
【００３１】
巻回対象物３００をさらに押し下げると、湾曲凹面１５４に貼着されていた粘着テープＴの前余り部Ｔ４が上方から順に剥がれ始め、粘着テープＴに環状部が形成され始める（図１３）。巻回対象物３００をさらに押し下げると、アーム先端部１５２が巻回対象物３００によってテープ巻回ローラ１４０とは反対側（図１３の左側）に押され、巻回対象物３００は、テープ巻回ローラ１４０とテープ巻回アーム１５０との間から抜け出る（図１４）。テープ巻回アーム１５０は、巻回対象物３００が抜け出た直後に初期位置に復帰して、粘着テープＴの前余り部Ｔ４を巻回対象物３００よりも後方で余っていた後余り部Ｔ５に押し付ける。この瞬間、粘着テープＴの前余り部Ｔ４と後余り部Ｔ５は、テープ巻回ローラ１４０の山部１４２とテープ巻回アーム１５０の湾曲凹面１５４とで挟持されて、互いの粘着部同士が貼り合わされた状態となり、粘着テープＴに環状部Ｔ６が形成される。山部１４２の頂面には低段部１４５（図７）が設けられており、湾曲凹面１５４には低段部１５５（図９）が設けられているために、前余り部Ｔ４の非粘着部と後余り部Ｔ５の非粘着部とが接触するよりも前に、前余り部Ｔ４の粘着部と後余り部Ｔ５の粘着部とが接触する。このため、粘着テープＴの前余り部Ｔ４と後余り部Ｔ５は、左右に位置ずれすることなく綺麗に重なるようになっている。
【００３２】
［テープ切断アーム（テープ切断手段）］
テープ切断アーム１６０は、巻回対象物３００に巻回された粘着テープＴを切断するためのテープ切断手段として設けている。本例のテープ切断アーム１６０は、図１５に示すように、アーム基端部１６１と、アーム先端部１６２とからなっている。アーム先端部１６２には、粘着テープＴを切断するための切断刃１６３を取り付けている。アーム基端部１６１とアーム先端部１６２との中間には軸受孔１６４を設けており、軸受孔１６４にはパイプＰ４が遊挿されている。このため、アーム基端部１６１が巻回対象物３００によって押し下げられると、テープ切断アーム１６０が矢印ｇ（図３）の向きに回転して、切断刃１６３が案内溝１１４まで変位して粘着テープＴを切断するようになっている。パイプＰ４やそれに螺合するボルトＢ４（図１）などについては、テープ折り返しローラ１３０で説明したパイプＰ１やボルトＢ１と同様である。アーム先端部１６２には、矢印ｈ（図３）の向きに縮むように付勢されたスプリングＳ２が連結されており、テープ切断アーム１６０は、矢印ｇ（図３）とは反対向きに付勢されるようになっている。テープ切断アーム１６０は、初期状態において、アーム基端部１６１に設けられた湾曲凸面１６５がテープ押さえアーム１７０に係止されて静止した状態となっている。
【００３３】
［テープ押さえアーム（テープ押さえ手段）］
テープ押さえアーム１７０は、巻回対象物３００に巻回された粘着テープＴを押さえるためのテープ押さえ手段として設けている。本例のテープ押さえアーム１７０は、図１５に示すように、アーム基端部１７１と、アーム先端部１７２とからなっている。アーム基端部１７１には軸受孔１７３を設けており、軸受孔１７３にはパイプＰ５が遊挿されている。このため、テープ切断アーム１６０のアーム基端部１６１が巻回対象物３００によって押し下げられると、テープ切断アーム１７０がテープ切断アーム１６０に追従して矢印ｉ（図３）の向きに回転するようになっている。パイプＰ５やそれに螺合するボルトＢ５（図１）などについては、テープ折り返しローラ１３０で説明したパイプＰ１やボルトＢ１と同様である。アーム基端部１７１には、矢印ｊ（図３）の向きに縮むように付勢されたスプリングＳ３が連結されており、テープ押さえアーム１７０は、矢印ｉ（図３）の向きに付勢されるようになっている。テープ押さえアーム１７０は、初期状態において、アーム先端部１７２に設けられた湾曲凸面１７４がテープ切断アーム１６０に係止されて静止した状態となっている。
【００３４】
［テープ切断アームとテープ押さえアームの動作］
テープ切断アーム１６０とテープ押さえアーム１７０の動作について説明する。図１５は、巻回対象物３００を図１４の位置からさらに押し下げたときのテープ切断アーム１６０周辺を示した拡大図である。図１６は、巻回対象物３００を図１５の位置からさらに押し下げたときのテープ切断アーム１６０周辺を示した拡大図である。
【００３５】
図１４の状態から巻回対象物３００をさらに押し下げると、テープ切断アーム１６０のアーム基端部１６１が押し下げられて、アーム先端部１６２が案内溝１１４側に傾き、切断刃１６３が案内溝１１４内に突き出てきて粘着テープＴを切断する（図１５）。図１５の状態から巻回対象物３００をさらに押し下げると、アーム基端部１６１とアーム先端部１７２との間が巻回対象物３００によって押し広げられ、巻回対象物３００は取り出し口１１６に到達する（図１６）。テープ切断アーム１６０とテープ押さえアーム１７０は、巻回対象物３００がアーム基端部１６１とアーム先端部１７２との間を通り抜けた直後に初期位置に復帰して、粘着テープＴに形成されていた環状部Ｔ６を押し潰して帯状に貼り合わせる。この後、巻回対象物３００を取り出し口１１６から取り出す。このとき、巻回対象物３００は粘着テープＴが巻回されて固く締め付けられた状態となっている。
【００３６】
［切断ユニット（仕上げ手段）］
切断ユニット１８０は、粘着テープＴが巻回された巻回対象物３００の不要部を切除するための仕上げ手段として設けている。切断ユニット１８０は、図３に示すように、切断刃１８１と、切断刃１８１を保持するケース１８２とからなっている。ケース１８２には、巻回対象物３００を切断刃１８１まで案内するための案内溝１８３が設けられている。切断ユニット１８０の案内溝１８３は、一対の側板１１０に設けられた案内溝１１５に略一致するように配される。切断ユニット１８０は、巻回対象物３００の寸法を調整する場合だけでなく、巻回対象物３００に巻回された粘着テープＴの不要な部分を切断してその長さを調整する場合にも用いることができるものとなっている。
【００３７】
［巻回対象物］
図１７は、本例のテープ巻回装置１００を用いて粘着テープＴを巻回した巻回対象物３００（包装袋）の袋口周辺を示した斜視図である。この包装袋は、その袋口周辺に粘着テープＴが巻回されてネック部が形成されており、密封された状態となっている。包装袋に巻回された粘着テープＴには、一対の非貼着部Ｔ７が位置ずれすることなく綺麗に形成されている。このため、包装袋に巻回された粘着テープＴは、一対の非貼着部Ｔ７のそれぞれを離反する向きに引っ張ることによって、容易に剥がすことができるようになっており、鋏やナイフ等の道具を用いたり、包装袋を破いたりしなくとも、包装袋を容易に開封することができるようになっている。従って、一度用いた包装袋を再利用することも可能である。本発明のテープ巻回装置１００は、包装袋だけでなく、案内溝１１４の幅などを変更することによって、長ネギやゴボウなどの長尺物を複数本束ねたものなど、様々なものに粘着テープＴを巻回することができるものとなっている。
【図面の簡単な説明】
【００３８】
【図１】本発明のテープ巻回装置の一例を示した斜視図である。
【図２】図１のテープ巻回装置から一方の側板を取り外した状態を示した斜視図である。
【図３】図２のテープ巻回装置を示した右側面図である。
【図４】粘着テープを折り返しているときのテープ折り返しローラ（テープ折り返し手段）を示した斜視図である。
【図５】粘着テープを折り返しているときのテープ折り返しローラ（テープ折り返し手段）を示した右側面図である。
【図６】テープ折り返しローラ（テープ折り返し手段）をその中心軸を通る平面で切断した状態を示した断面図である。
【図７】テープ巻回ローラを示した斜視図である。
【図８】テープ巻回ローラの山部を該山部の正面側から見た図である。
【図９】テープ巻回アームの後方斜視図である。
【図１０】テープ巻回アームを示した左側面図である。
【図１１】テープ巻回ローラとテープ巻回アームとが初期状態にあるときのテープ巻回ローラ周辺を示した拡大図である。
【図１２】巻回対象物をテープ巻回ローラの一の谷部に挿入したときのテープ巻回ローラ周辺を示した拡大図である。
【図１３】巻回対象物を図１２の位置からさらに押し下げたときのテープ巻回ローラ周辺を示した拡大図である。
【図１４】巻回対象物を図１３の位置からさらに押し下げたときのテープ巻回ローラ周辺を示した拡大図である。
【図１５】巻回対象物を図１４の位置からさらに押し下げたときのテープ切断アーム周辺を示した拡大図である。
【図１６】巻回対象物を図１５の位置からさらに押し下げたときのテープ切断アーム周辺を示した拡大図である。
【図１７】本例のテープ巻回装置を用いて粘着テープを巻回した巻回対象物（包装袋）の袋口周辺を示した斜視図である。
【符号の説明】
【００３９】
１００  テープ巻回装置
１１０  側板
１１１  縦壁部
１１２  脚部
１１３  案内溝
１１４  案内溝
１１５  案内溝
１１６  取り出し口
１２０  テープリール（テープロール支持手段）
１２１  テープリール中心部
１２２  アーム部
１２３  軸部
１３０  テープ折り返しローラ（テープ折り返し手段）
１３１  軸部
１３２  拡径部
１３３  軸部接続面
１３４  外周面
１３５  テーパ面
１３６  軸受孔
１４０  テープ巻回ローラ
１４１  中心部
１４２  山部
１４３  谷部
１４４  軸受孔
１４５  低段部
１５０  テープ巻回アーム（テープ巻回ガイド）
１５１  アーム基端部
１５２  アーム先端部
１５３  軸受孔
１５４  湾曲凹面
１５５  低段部
１６０  テープ切断アーム（テープ切断手段）
１６１  アーム基端部
１６２  アーム先端部
１６３  切断刃
１６４  軸受孔
１６５  湾曲凸面
１７０  テープ押さえアーム（テープ押さえ手段）
１７１  アーム基端部
１７２  アーム先端部
１７３  軸受孔
１７４  湾曲凸面
１８０  切断ユニット（仕上げ手段）
１８１  切断刃
１８２  ケース
１８３  案内溝
２００  テープロール
３００  包装袋（巻回対象物）
Ａ１  第一接触部
Ａ２  第二接触部
Ａ３  第三接触部
Ｂ１〜Ｂ１４  ボルト
Ｌ１  粘着テープの折り返された側端部内端から低段部内端までの距離
Ｌ２  粘着テープの折り返された側端部外端から低段部外端までの距離
Ｌ３  粘着テープの折り返されていない側の外端から低段部内端までの距離
Ｐ１〜Ｐ５  パイプ
Ｓ１〜Ｓ３  スプリング
Ｔ  粘着テープ
Ｔ０  側端部
Ｔ１  起立部
Ｔ２  倒伏部
Ｔ３  非起立部
Ｔ４  前余り部
Ｔ５  後余り部
Ｔ６  環状部
Ｔ７  非貼着部
α  粘着面
β  非粘着面
θ１  軸部接続面の頂角
θ２  外周面の頂角
θ３  屈曲角度
【図１】
2006256787.tif 000003
【図２】
2006256787.tif 000004
【図３】
2006256787.tif 000005
【図４】
2006256787.tif 000006
【図５】
2006256787.tif 000007
【図６】
2006256787.tif 000008
【図７】
2006256787.tif 000009
【図８】
2006256787.tif 000010
【図９】
2006256787.tif 000011
【図１０】
2006256787.tif 000012
【図１１】
2006256787.tif 000013
【図１２】
2006256787.tif 000014
【図１３】
2006256787.tif 000015
【図１４】
2006256787.tif 000016
【図１５】
2006256787.tif 000017
【図１６】
2006256787.tif 000018
【図１７】
2006256787.tif 000019